(57)【要約】【課題】  眼鏡を掛け定めた視線方向の視界をカメラのファインダとすることにより、一々カメラのファインダを覗くことなく写真が撮れ、さらに眼鏡を掛け映像を表示する映像表示装置を内蔵した一対のカプセルを両眼の前面に吊設し移動しながら映像が見える。【解決手段】  眼鏡のレンズ上部に設けたデジタルカメラ用の筐体の中央から撮影レンズを吊設した眼鏡を掛け、両眼の正面方向の視界がファインダの映像になるよう設定する。設定後は、上記正面方向の視界は常に撮影の対象となる。また眼鏡のレンズの一部を覆う窓のある暗室カプセルに拡大レンズと映像を表示する小型の映像表示装置を内蔵し，一対の上記カプセルを眼鏡の上部から両眼の前面に吊るし上記窓を通じ内部を覗けるようにすると上記映像表示装置に表示された映像を拡大して見ることが出来その映像は眼の遠近補正用として、又カメラのファインダとして使用出来る。【選択図】  図７
2005128096.tif 000002
【特許請求の範囲】
【請求項１】
眼鏡を掛けて見える視線方向に存在する視界の内の一部視界をファインダの映像としその映像に眼鏡の左右レンズの中間位置に配備したデジタルビデオカメラ用撮影レンズで撮影するこのできる複合眼鏡であって、前記ファインダの映像が撮影できるよう前記眼鏡の左右レンズの上部で担持した前記デジタルビデオカメラ用筐体に吊設した吊設ユニットの下部に係着した前記撮影レンズと、前記撮影レンズで撮影した映像を前記眼鏡を掛けて見える映像として電気的に表示する映像表示装置を備えた端末とを特徴とする複合眼鏡。
【請求項２】
眼鏡のレンズの一部を通して内部を覗くことが出来る窓を有する暗室カプセルであって、拡大レンズおよび映像表示装置を内臓し前記映像表示装置に電気的に表示される映像を前記拡大レンズで拡大した映像を前記窓を通して覗くことが出来る前記カプセルと、コンジットの左右端に係着した一対の上記カプセルと、請求項１記載の吊設ユニットの下部に係着した前記撮影レンズの下部又は後部に追加して前記コンジットの中央部を前記吊設ユニットの下部に係着した前記吊設ユニットと、上記撮影レンズで撮影した映像が前記一対のカプセルに内蔵した前記映像表示装置に相互に同一映像として電気的に表示されそれぞれの前記窓を覗いて見ることが出来るよう前記コンジットの左右端に係着させた前記一対のカプセルを特徴とする複合眼鏡。
【請求項３】
請求項２記載の撮影レンズで撮影した映像以外の映像を相互に同一に見える映像として電気的に表示する映像表示装置を内蔵する前記一対のカプセルを特徴とする複合眼鏡。
【請求項４】
請求項２又は請求項３記載の映像表示装置に表示される映像に重畳し又は並ぶ映像であって相互に同一に見える映像として電気的に表示する映像表示装置を内臓する前記一対のカプセルを特徴とする複合眼鏡。
【発明の詳細な説明】
【技術分野】
【０００１】
本発明は、眼鏡を掛けて正面方向に見える視界をファインダの映像として捉えその映像に眼鏡の左右レンズの中間位置であって眼鏡を掛けて両眼を結ぶ線上にほぼ位置するよう取り付けられたデジタルビデオカメラ用撮影レンズで撮影することができる複合眼鏡と、
【０００２】
拡大レンズと映像表示装置を内蔵した窓付き暗室カプセルであって、眼鏡のレンズを通して上記窓を覗き上記撮影レンズで撮影した映像を含むその他の映像を電気的に表示する映像表示装置の映像を上記拡大レンズで見ることができる複合眼鏡に関する。
【背景技術】
【０００３】
従来、映像を記録に残すためデジタルビデオカメラが提供され、テレビジョンやデジタルビデオカメラのファインダ等を表示するために液晶等による映像表示装置が提供されている。また眼の欠陥または経年的な視力の劣化に対応しては眼鏡が使用されている。
【発明の開示】
【発明が解決しようとする課題】
【０００４】
以上述べた従来のデジタルビデオカメラでは手で支えたり三脚を用いてファインダを覗き目的の映像に焦点を合わせて撮影する必要があり、テレビジョン等を含む映像表示装置は設置場所が必要であったり携帯型のものは当然ながら手で支えて見る必要がある。又通常の眼鏡は光学的にレンズの性質を利用して肉眼の劣化や欠陥を補正するものであるがその補正によっては種々の光学レンズが必要である。
【０００５】
本発明は、このような従来の構成が有していた問題を解決するものであり、第１に小型のデジタルビデオカメラの撮影レンズを眼鏡の左右レンズの中間位置であって左右肉眼を結ぶ線上に取り付けその眼鏡を掛けて正面方向に見える視界をファインだの映像として撮影し、第２にデジタルビデオカメラのファインダの映像、テレビジョン等の受信映像、録画の再生映像等に必要な映像表示装置の代わりに眼鏡の左右レンズの前面に小型の映像表示装置を取り付け、その映像表示装置に表示される映像を拡大レンズで拡大し見ることを目的とするものである。尚この眼鏡は眼鏡本来の機能を持たせながら更に付加価値の高める構成としたため複合眼鏡という名称とした。又この提案は健康な眼を有する者も含めた全ての者を対象とするため眼鏡のレンズは度のないガラス等も含む広い概念とする。
【課題を解決するための手段】
【０００６】
そして、上記第一の目的を達成するために先ずデジタルビデオカメラに据え付けているファインダの代わりに眼鏡を掛けて正面方向に見える視界をファインダの映像とする方法について説明する。そのため眼鏡本来の機能が確保され尚且つその眼鏡の左右レンズ上部に取り付けても嵩張らず軽量で撮影可能な小型のデジタルビデオカメラの筐体を眼鏡の左右レンズ上部に担持し、その筐体の中央部から上記眼鏡の左右レンズの中間に位置し、眼鏡を掛けた状態で左右両眼を結ぶ線上に来るよう吊設ユニットの下部に係着した撮影レンズを吊設する。眼鏡を掛けて正面を見ている上記両眼の視線方向と上記撮影レンズの光軸方向がほぼ一致するようにするためである。次にその撮影レンズで撮影した光学的映像を肉眼で見える映像として映像表示装置に電気的に表示する必要からその映像表示装置を単独の端末に装備する。上記撮影レンズで撮影した光学的映像を電気的に変換し映像表示装置付き端末にその映像を上記肉眼で見える映像として電気的に表示できるようにするには映像の劣化等を少なくし適切に伝達する必要から上記映像を変換する処理装置は上記筐体と上記端末に適材適所に配置しその間を電気配線する。尚、撮影レンズで撮影した映像を映像表示装置に表示する方法は従来からあるデジタルビデオカメラやカメラ付き携帯電話等の方法を利用し又この提案に適した改良方法も利用する。上記眼鏡を使用する時は眼鏡を掛けて見える正面方向の視界を上記撮影レンズで撮影できることを確かめる。そのため上記眼鏡を掛けて正面方向に上記端末を置きその端末自身の映像が映像表示装置に表示されていることを確かめ、その後は上記端末を正面方向の視界から移動させればその端末の後方に見える視界がファインダの映像となる。従って正面方向の視界がファインダの映像となることを記憶しておけば、一々カメラのファインダを見なくても正面方向の視界を撮影すればよい。
【０００７】
次に第２の解決手段として、上記撮影レンズで撮影した映像を一対のカプセルに内蔵した映像表示装置に映像として電気的に表示する複合眼鏡について説明する。先ず眼鏡のレンズの一部を通して内部を覗くことが出来る窓を有する暗室カプセルであって、拡大レンズと映像表示装置を内蔵しその映像表示装置に電気的に表示される映像を上記拡大レンズで拡大した映像を上記窓を覗いて見ることが出来るカプセルを用意し、そのカプセルを電気的に配線できるコンジットの左右両端に上記カプセルを係着させる。このコンジットの中央部を上記第一の解決手段で述べた吊設ユニットの下部に係着する。同一映像が同時に見るよう一対の上記カプセルの上記窓が両眼の前面に来るようにするためである。尚上記吊設ユニットの下部には既に上記撮影レンズが係着されているので、その下部か後部に上記コンジットの中央部を係着する。両肉眼の正面方向の視線と撮影レンズの撮影映像を的確に確保し尚且つ前述のカプセルの窓も覗けるようにするためである。上記窓の位置は両肉眼の正面方向位置より下部方向位置に来るよう上記カプセルを係着する。上記窓の位置を正面方向位置より下部方向位置にした理由は、眼鏡のレンズの一部を通して上記窓を覗き上記カプセルに内蔵した映像表示装置に表示される映像を拡大レンズで明確に捉え同時に上記カプセル周辺の視界も見ることができ更に上記カプセルは出来るだけ嵩張らず軽量で小型化するためである。眼鏡のレンズ全てを覆う窓としカプセルの内部を上記窓を通して覗くだけならば広い窓が確保できるので有利な面もある。しかし移動しながらこの複合眼鏡を使用するときは上記窓の周辺の視界も見えるようにすることにより安全性が確保できることを考慮した。次に上記撮影レンズで撮影した映像を上記一対のカプセルに内臓した映像表示装置に対し同一映像が同時に表示できるよう電気的に処理された映像信号を並列に配線する。又撮影レンズで撮影した映像を映像表示装置に表示する方法は従来からあるデジタルビデオカメラやカメラ付き携帯電話等の方法を利用し又この提案に適した改良方法も利用する。この眼鏡を掛けて正面方向の視界に上記撮影レンズの照準を合わせ上記一対のカプセル内の映像表示装置にその視界の映像が表示されていることを確認すればその後は上記視線方向の視界が映像表示装置で表示した映像となり両眼で見ることが出来る。これにより上記眼鏡を掛ければ映像表示装置の映像を肉眼の遠近補正用として、その映像をズームすれば双眼鏡として、更にカメラのファインダの映像として撮影でき、同時に上記カプセル周辺の視界も見ることが出来るので安全に移動できる。尚上記一対のカプセルの不使用時は上記吊設器を上方に回動させて視界を広くできる。
【０００８】
次に上記撮影レンズで撮影した映像以外の映像を上記一対のカプセルに内蔵した映像表示装置に電気的に表示する映像としては、テレビジョンや携帯電話、パソコン等からの受信映像、映像の録画・再生装置から電気的に処理された映像等がある。これらの映像を表示する装置は従来より存在する装置及び今後提案される装置を利用する。
【０００９】
更に、上記ハイブリッド眼鏡はデジタルビデオカメラ用レンズで撮影した映像又はそれ以外の映像に重畳して又は上下・左右に並べてそれら映像と異なる映像を上記映像表示装置に表示することが出来る。
【００１０】
眼鏡を掛けて上記一対のカプセルの窓を覗くこことが出来る位置は次の３種類に分ける。両眼の直近正面位置と、その正面位置に対し上部位置又は下部位置である。但し両眼の直近正面位置に上記カプセルが位置すると映像を見やすくすることが出来るが電源がオフのときは前方が見辛くなる。尚眼鏡のレンズ全部を覆う広さの拡大レンズは映像を見易くする利点はあるが、移動を主目的と考えるとカプセル周辺の視界が見えなくなる。通常は嵩張らず軽量で小型化しカプセル周辺の視界も見えるようにし使用中の安全にも注意する必要がある。
【００１１】
上記一対のカプセル付き眼鏡に使用する小型の映像表示装置は肉眼に近い位置にあるため出来るだけ目に優しい装置を使用する必要がある。又上記カプセルの窓は両眼の直近であるため周辺の視界が多少ぼやけることがあるのでそのカプセルの肉厚を薄くし、できるだけ乱反射等の防止が必要である。
【００１２】
眼鏡を軽量、小型化するため上記筐体、カプセルは出来るだけ嵩張らぬよう軽くし電源装置、映像処理装置、映像の録画・再生装置等は携帯型の端末に配備することが望ましい。
【発明の効果】
【００１３】
上述したように本発明の複合眼鏡をカメラのファインダの代わりとして使用するときは、一々手でカメラを構えファインダを覗かなくとも随時タイムリな撮影が出来る。映像表示装置付き端末は映像の録画・再生装置を組み込みデジタルビデオカメラとするか、必要ならば携帯電話を代替端末として使用し相乗効果を期待することも出来る。
【００１４】
眼鏡の左右レンズの中間に位置するデジタルビデオカメラ用撮影レンズで撮影した映像をファインダの映像として表示する映像表示装置を一対のカプセルに内蔵し、両眼の直近下部位置にその一対のカプセルを吊設した複合眼鏡として使用するときは、左右肉眼の直近正面方向の視界は上記肉眼で確実に観測しながら、上記直近正面方向より直近下部にあるカプセルの窓を覗けば上記ファインダの映像を肉眼の遠近補正用の映像として、カメラのファインダの映像として、さらにズーム機能があれば双眼鏡の映像として使用できる。又パソコン、携帯電話等に接続すれば相手に上記映像を送信できる。
【００１５】
上記撮影レンズで撮影した映像以外の映像を上記一対のカプセルの映像表示装置に表示しその映像を見ることが出来るためテレビジョンをはじめとする映像表示装置を場所を取らず又手で一々支える必要もなく観察できると同時にカプセル周辺の視界も見えるので歩行しながらでも使用出来る。さらに外付けの高性能デジタルビデオカメラやカーナビに対応しパスナビ（パッセンジャ・ナビゲータ）として、整備、操作、運転等の方法に関する情報、学習用として、印刷物、出版物の記録映像表示用として、ゲームの映像表示用として、携帯電話の映像表示用装置として使用できる。尚上記複合眼鏡を通常の眼鏡として使用する時は上記カプセルを迅速に上方に回動させ視界を広くできる。
【００１６】
上記一対のカプセル内の映像表示装置に表示されるファインダの映像又はその他の映像に更に別の映像を重畳するか上下・左右に並べて表示すれば両映像を比較検討できる場合もあるので情報量が増加する。特にパソコンや携帯電話に接続し相手の映像を受信し比較すれば情報量は倍増する。
【発明を実施するための最良の形態】
【００１７】
以下、本発明の実施の形態を図１〜図２３に基づいて説明する。
【００１８】
図1〜図６において、１はデジタルビデオカメラ用の撮影レンズ、デジタルビデオカメラ用の筐体２、補助フレーム３、吊設ユニット５、弦７、眼鏡フレーム８、眼鏡のレンズ９、映像表示装置付き端末１６、シャッタ１８、視点２３、撮影レンズ１の映像２４、映像表示装置１７の映像２５。
【００１９】
筐体２は眼鏡の左右レンズ９の上部に担持し、その筐体２より吊設ユニット５を吊設あし、撮影レンズ1は眼鏡のレンズ９とほぼ同じ方向を向くよう吊設ユニット５に係着する。
【００２０】
図１は眼鏡の左右レンズ上部にホルダ４を介して筐体２を担持しその筐体２で吊設ユニット５を吊設した前面斜視図である。
【００２１】
図２は図1の後部斜視図である。撮影レンズ1を係着した吊設ユニット５と映像表示装置付き端末１６の間はホール３１を通りリード線７で電気的に接続する。
【００２２】
図４は両眼２１と吊設ユニット５の側面か見た位置関係を示した説明図である。一点破線矢印は両眼の視線方向を、実線矢印は撮影レンズの撮影映像の光線方向を示す。両矢印は視点２３に対しほぼ同じ高さにあることが望ましい。両肉眼２２の正面方向の視点２３が撮影レンズ１の撮影映像となるからである。撮影レンズ１を通過した映像を光学ズームにする場合は反射鏡２２でその映像を反射させ吊設ユニットの縦の長さで光路長を確保する。
【００２３】
図５（a）図は側面より見た両肉眼２１の視線（破線矢印）と撮影レンズ１が受ける撮影映像の光線方向（実線矢印）を示す。(b)図は上面より見た説明図である。
【００２４】
以下、上記構成の動作を説明する。弦７、眼鏡フレーム８、眼鏡のレンズ９より成る眼鏡を掛け肉眼の視線方向に端末１６を置きその端末にレンズ１の照準を合わせその端末自身の映像２５を端末の映像表示装置１７に表示する（図６）。その状態で端末１６を視線方向から移動させればその後方にある視点２３がファインダの映像となる。正面方向の視界に対して上記レンズ１で撮影される映像が上記映像表示装置１７に表示されればその視線方向の視界がファインダの映像となる（図６）。これにより撮影したい視界に視線を向けてシャッタ２０を押せばその映像を撮影できる。
【００２５】
図７〜１８において、５は吊設ユニット、弦７、眼鏡フレーム８、眼鏡のレンズ９、視点２３、カプセル２７、コンジット２８、ジョイント２９、ジョイントボール３０、拡大レンズ３２、映像表示装置３３、映像ポイント３４、カプセル映像範囲３５、視界範囲３６。  
【００２６】
図７〜１２はジョイント２９で吊設ユニット５のジョイントボール３０が上下に回動できるよう吊設した説明図である。図７は前面斜視図であり、図８は吊設ユニット５を上方に回動して視界を広げた前面斜視図である。図９は図７の後部斜視図である。図１０（b）は吊設ユニット５を吊設した側面図、図１１（b）は上方に回動した側面図である。
【００２７】
図９の映像処理装置３７は映像送受信装置、映像受信装置、映像の録画・再生装置等を含めた包括的な装置でありテレビジョン、パソコン、携帯電話等に接続する中継点にも成りうる。
【００２８】
図９に示した映像処理装置３７は一対のカプセル２２に内蔵する映像表示装置３３に映像を表示するために必要な映像を処理する装置であると共に電源装置等を収納する端末である。更にこの装置を中継端末として携帯電話等への接続をするもことができる。
【００２９】
図１３は肉眼２１が正面方向を向いた位置に一対のカプセル２２を吊設した説明図である。図１４は肉眼２１が正面方向に向いた位置（図１３）に対し下部位置にカプセル２２を吊設した説明図である。上部位置についてはほぼ同様につき省略した。
【００３０】
図１５は映像表示装置３３に表示される映像ポイント３４を拡大レンズ３２で見る場合の機能図である。映像表示装置３３に表示されるポイントH1の正立・虚像はH2である。上記拡大レンズ３２からH1までの距離をｘ、焦点距離をｆ、明視距離をDとすればｘ＜ｆの条件で、倍率はD/fで表されカプセルの大きさを判断することが出来る。健眼の明視距離Dは約２５ｃｍである。
【００３１】
図16は肉眼２１とカプセル２１及び撮影レンズ1の関係を上部より見た説明図である。肉眼２１で見た視点２３は撮影レンズ１で撮影され映像表示装置３３に表示される。
【００３２】
図１７は肉眼２１の正面方向で見ている視点２３対し撮影レンズ１で撮影した視点２３はカプセル２７の映像表示装置３３に表示されその映像ポイント３４は（ｂ）図のカプセル映像範囲３５内に表示される説明図である。尚肉眼２１と撮影レンズ１との位置関係は図４で説明した通りである。カプセル２７の内部を見る窓４２は一転破線で示した。
【００３３】
図１８は図７の複合眼鏡を使用している場合の立体説明図である。肉眼２１は正面方向を見ている時は視界３６の内に見える視点２３を十分見ることが出来、撮影レンズ1で撮影した映像ポイント３４はカプセル内臓の映像表示装置３３で表示されその映像をカプセル２７の窓４２を肉眼２１で覗き見るとカプセル映像範囲３５の中に映像ポイントとして拡大レンズで拡大して見ることが出来る。尚図１５で説明した映像の倍率は焦点距離ｆを２．５ｃｍとすると明視距離２５ｃｍの位置に映し出される映像の倍率は１０倍になる。
【００３４】
図１９〜２２において、1は撮影レンズ、筐体２、眼球２１、映像範囲３５、視界範囲３６、映像処理装置３７、重畳映像３８。
【００３５】
図１９（a）は普通の眼鏡として一対のカプセル２２を上方に回動させた正面図であり、図１９（b）は上記眼鏡を掛けて見える前方の視界である。
【００３６】
図２０（a）は一対のカプセル２２を両眼２１の正面より下部位置に吊設した複合眼鏡の前面図である。図２０（b）は電源がオフの状態で視界と上記一対のカプセルの窓を上記両眼で見ている前面図であり、電源の消耗を防ぐためのスタンバイの状態でもある。
【００３７】
図２１（a）は眼鏡のレンズ上部又は眼鏡の側部に筐体２を担時し、その筐体２に据え付けた撮影レンズ１で視界の一部を撮影できるようにしたハイブリッド眼鏡の前面図である。
図２１（b）は電源をオンにして上記撮影レンズ１で視界範囲４２の一部を撮影した映像範囲４１を両眼２１で見ている前面図である。この映像範囲４１が肉眼の遠近補正用眼鏡の映像となり、同時にファインダの映像であり、ズームすることにより双眼鏡の映像となり、映像処理装置４４を通じ携帯電話、パソコン等を接続すれば上記映像を送信できる。又テレビジョン、パソコン、携帯電話等からの受信映像や画像の再生装置の映像を表示出来る。
【００３８】
図２２（a）は図２１（b）で示した映像範囲３５に重畳映像３８を重畳した正面図である。重畳映像３８はテレビジョン、パソコン、携帯電話等からの受信映像や画像の再生装置からの映像である。図２２（b）は撮影レンズ１で撮影した映像範囲４１を左側に重畳映像３８を右側に並べた場合である。図示していないが上側と下側に並べることもできる。
【００３９】
図２３において、CCDモジュール３９は撮影レンズ１とCCDを一体化し撮影レンズ１で撮影した映像を電気的に処理するモジュール、映像処理装置３７は携帯電話、パソコン等の映像送受信装置、テレビジョン・セット等の映像受信装置、映像の録画・再生装置等を含む装置、グラフィックスアクセラレータ５２は線や面を2次元または3次元で作図するなどのタスクを実行する装置、映像表示装置３７は液晶素子（LCD）、有機発光ダイオード（OLED）、CMOS、プラズマデスプレイ等による映像表示装置、映像録画・再生装置５３は映像の録画・再生する装置である。
【００４０】
図２３（a）はCCDモジュール３９の映像信号をグラフィックスアクセラレータ４０で処理し、端末１７の映像表示装置３３に映像として表示するブロック図である。
【００４１】
図２３（b）は一対のカプセル２７に内蔵した映像表示装置３３に映像を表示するブロック図である。映像処理装置３７及びCCDモジュール３９をそれぞれグラフィックスアクセラレータ４０に接続し、映像表示装置３３で映像を表示する。尚、映像処理装置３７は映像送受信装置、映像受信装置、映像の録画・再生装置等を含めた包括的な装置としているが、更に具体的にはCCDモジュール３９を含め目的応じそれぞれを選定して機能的に接続する。
【図面の簡単な説明】
【００４２】
【図１】複合眼鏡の前面斜視図。
【図２】上記眼鏡の後部斜視図。
【図３】（a）図は上記眼鏡の正面図、（b）図はその側面図。
【図４】両眼２１と撮影レンズ１の側面の位置関係を示した説明図。
【図５】（a）図は視点２３に照準を合わせた場合の側面の説明図、（b）図は視点２３に照準を合わせた場合の上面の説明図。
【図６】視点２３、撮影レンズ1の映像２４、映像表示装置１７の映像２５を合わせた説明図。
【図７】眼鏡中央部にカプセル２７付き吊設ユニット５を吊設した複合眼鏡斜視図。
【図８】上記吊設ユニット5を上方に回動させた斜視図。
【図９】上記眼鏡の後部斜視図。
【図１０】（a）図は上記眼鏡の正面図、（b）図はその側面図。
【図１１】（a）図は上記眼鏡の細部前面図、（b）図は図１０（b）の吊設ユニット5を上部に回動させた側面図。
【図１２】吊設ユニット５の分解図
【図１３】カプセル２２をガラス９に沿って正面位置に吊着させた側面説明図。
【図１４】カプセル２２をガラス９に沿って下の位置に吊着させた側面説明図。
【図１５】レンズ３６、映像H1とその拡大像H2の関係を表示した説明図。
【図１６】複合眼鏡上部に据えたホルダ４の中央下部に吊設ユニットを吊設した上面図。
【図１７】肉眼２１で視界３６とカプセル２７を覗いた場合の説明図。
【図１８】肉眼２１が正面方向とカプセル２７の窓４２を交互に見て視点２３とカプセル内の映像映像ポイント３４を表した立体説明図。
【図１９】（a）図はカプセル２７を上に回動した複合眼鏡の前面図。              (b)  図はそのときの視界３６の正面図。
【図２０】（a）図はカプセル２７を肉眼２１の前面に吊設した複合眼鏡の前面図。              (b)  図はそのときのカプセル２７の入り口と視界３６の正面図。
【図２１】（a）図は筐体２を担持した複合眼鏡の前面図。              (b)  図は上記眼鏡を使用中の映像範囲３５と視界３６の正面図。
【図２２】（a）図は上記(b)  図の映像範囲３５に重畳映像３８を重畳した前面図。図は上記（a）図の映像範囲３５と重畳映像３８を並べた正面図。
【図２３】（a）図は端末１７の映像表示装置３７に映像を表示するブロック図。            （b）図は一対のカプセル２２内の装置３７に映像を表示するブロック図。
【符号の説明】
【００４３】
１  撮影レンズ
２  筐体
３  ホルダフレーム
４  ホルダ
５  吊設ユニット
６  補助弦
７  弦
８  眼鏡フレーム
９  眼鏡のレンズ
１０  リード線
１１  鼻パッド
１２  ブリッヂA  
１３  ブリッヂB
１４  よろいA
１５  よろいB
１６  映像表示装置付き端末
１７  映像表示装置
１８  シャッタ
１９  マイク
２０  イヤーホン
２１  肉眼
２２  反射鏡
２３  視点
２４  撮影レンズ１の映像
２５  映像表示装置１７の映像
２６  フード
２７  カプセル
２８  コンジット
２９  ジョイント
３０  ジョイントボール
３１  リード線通過孔
３２  拡大レンズ
３３  カプセルの映像表示装置
３４  映像ポイント
３５  カプセル映像範囲
３６  視界範囲
３７  映像処理装置
３８  重畳映像
３９  ＣＣＤ・モジュール
４０  グラフィックス・アクセラレータ
４１  映像記録装置
４２  カプセル窓
【図１】
2005128096.tif 000003
【図２】
2005128096.tif 000004
【図３】
2005128096.tif 000005
【図４】
2005128096.tif 000006
【図５】
2005128096.tif 000007
【図６】
2005128096.tif 000008
【図７】
2005128096.tif 000009
【図８】
2005128096.tif 000010
【図９】
2005128096.tif 000011
【図１０】
2005128096.tif 000012
【図１１】
2005128096.tif 000013
【図１２】
2005128096.tif 000014
【図１３】
2005128096.tif 000015
【図１４】
2005128096.tif 000016
【図１５】
2005128096.tif 000017
【図１６】
2005128096.tif 000018
【図１７】
2005128096.tif 000019
【図１８】
2005128096.tif 000020
【図１９】
2005128096.tif 000021
【図２０】
2005128096.tif 000022
【図２１】
2005128096.tif 000023
【図２２】
2005128096.tif 000024
【図２３】
2005128096.tif 000025